Podtech/llm-jp-corpus-v4-ja_patent huggingface dataset:
(57)【要約】【課題】極めて簡単な構造にすることにより、取扱いと操作を単純化して、タイル貼り工事の仕上げ作業に適したタイル工用モップ装置を提供する。【解決手段】タイル工事の仕上げ作業で用いるモップ装置１０において、バケツの上部開口前よりにロッド１３を亘設し、このロッド１３から一定間隔をあけて軸１５を設け、この軸１５に揺動可能に簀の子１４を取付けたバケツ１１と、保持板１８にスポンジ１７を貼り付け、この保持板１８に柄１９を取付けたスポンジモップ２０とからなり、上記簀の子１４の重心は、上記軸１５より前に位置するようにして自重で前が下がるようにし、上記軸１５は上記ロッド１３より低く設けられている。【選択図】　図１
2004000359.tif 000002
【特許請求の範囲】
【請求項１】
タイル工事の仕上げ作業で用いるモップ装置において、バケツの上部開口の前よりにロッドを亘設し、このロッドから一定間隔をあけて軸を設け、この軸を中心に揺動可能に簀の子を取付けたバケツと、保持板に拭き取り体を貼り付け、この保持板に柄を取付けた拭き取りモップとからなることを特徴とするタイル工用モップ装置。
【請求項２】
上記簀の子の重心を、上記軸より前方に位置するようにしたことを特徴とする請求項１に記載のタイル工用モップ装置。
【請求項３】
上記簀の子を揺動可能に支持する軸は、上記ロッドより、保持板を含む拭き取り体の厚さの範囲内で低く設けられ、上記柄は、保持板に対して傾斜角を以て取り付けられ、上記簀の子の下方には、下げ止め手段を設けてなることを特徴とする請求項１または２に記載のタイル工用モップ装置。
【発明の詳細な説明】
【０００１】
【発明の属する技術分野】
この発明は、タイル貼り工事の仕上げ作業で用いるタイル工用モップ装置に関する。
【０００２】
【従来の技術】
タイル貼り工事の仕上げ段階では、タイルの表面に付着した目地用セメントを洗い落とす作業があるが、この作業に用いる用具として特別に工夫されたものがなく、雑巾かスポンジに水を含ませて拭き取り、バケツで濯ぎ絞る動作を繰り返していた。
【０００３】
また、特開昭６３−１５４１４７号では「バケツと、該バケツの上部に設けられた複数の絞りローラーを備えた絞り機と、前記バケツの下方に設けられた足踏み作動ペダル及びトグルリンクから成る作動機構とから構成され、前記作動機構は、足踏み作動ペダルを押すことにより前記絞りローラーの相対的閉塞動作を行わせかつオーバーセンタ状態とし、その絞り動作位置にて絞りローラー間に所定の隙間を与え該絞りローラーをロックすることを特徴とするモップ用装置」が提案されている。
【０００４】
【発明が解決しようとする課題】
上記説明で分かるように、タイル貼り工事の現場で採用されていた作業方法は極めて原始的であり、また、上記提案のものは、構造と操作が複雑であるため、タイル貼り工事の仕上げ作業のように単純な動作を手際よく繰り返すことを求められるものには全く適さないものである。
【０００５】
上記状況に鑑みこの発明は、極めて簡単な構造にすることにより、その取扱いと操作を単純化してタイル貼り工事の仕上げ作業に適したタイル工用モップ装置を提供することを課題とする。
【０００６】
【課題を解決するための手段】
上記課題を解決するためにこの発明は、タイル工事の仕上げ作業で用いるモップ装置において、バケツの上部開口の前よりにロッドを亘設し、このロッドから一定間隔をあけて軸を設け、この軸を中心に揺動可能に簀の子を取付けたバケツと、保持板に拭き取り体を貼り付け、この保持板に柄を取付けた拭き取りモップとからなっており、上記簀の子の重心は、上記軸より前方に位置するようにし、上記簀の子を揺動可能に支持する軸は、上記ロッドより、保持板を含む拭き取り体の厚さの範囲内で低く設けられ、上記柄は、保持板に対して傾斜角を以て取り付けられ、上記簀の子の下方には、下げ止め手段を設けてなる構成を採用したものである。
【０００７】
上記の如く構成するこの発明によれば、極めて簡単な構造となることにより、工事現場での荒っぽい取扱いでも故障することがなく、単純な操作でモップの洗浄と絞り（水切り）を行うことができて作業能率を向上させることができる。
【０００８】
【発明の実施の形態】
次に、この発明の実施形態について図面を参照しながら説明する。１１は縦３０×横３０×深さ４０（ｃｍ）のバケツ、１２は把手、１３はバケツ開口縁の前よりに亘設されたロッド、１４は軸１５で揺動可能に支持された縦１８×横２８（ｃｍ）の簀の子で、この簀の子１４の重心は、上記軸１５より若干前に位置させて自重で前方が下がるようにしてある。なお、１６は簀の子１４が下がり過ぎないようにするストッパで、ピンを植設するかロッドを亘設したものである。
【０００９】
１７は、拭き取り体としてのスポンジパッド（縦１８×横２８×厚さ３（ｃｍ））で、このスポンジパッド１７は保持板１８に貼り付けられ、保持板１８には若干の傾斜をつけて柄１９が取り付けられている。なお、柄１９の取付け角度とその長さはタイル貼りの仕上げ作業がし易い程度とする。
【００１０】
なお、上記サイズは単なる実施例で、このサイズに拘束されるものではない。また、拭き取り体は、スポンジの他にタオルのような吸水性のよい布地を重ね合わせたものでもよい。
【００１１】
このように構成したタイル工用モップ装置１０を使用するときは、バケツ１１内の水でスポンジ１７を濯ぎ、次にスポンジ１７を簀の子１４の上に載せて柄１９を押し下げると、簀の子１４は軸１６を中心にして揺動し、保持板１８の前端はロッド１３に行き当たり、さらに柄１９を押し下げるとスポンジ１７は保持板１８と簀の子１４との間に挟まれて水分が絞られる。
【００１２】
【発明の効果】
以上説明したようにこの発明によれば、極めて簡単な構造となることにより、工事現場での荒っぽい取扱いでも故障することがなく、単純な操作でモップの洗浄と絞り（水切り）を行うことができて作業能率を向上させることができる。
【図面の簡単な説明】
【図１】この発明に係るタイル工用モップ装置の作用説明図で（ａ）はモップ装入前の状態、（ｂ）はモップを装入した状態、（ｃ）は絞り終わった状態を示す。
【図２】この発明に係るタイル工用モップ装置のバケツ部分の斜視図
【図３】同モップ部分の斜視図
【符号の説明】
１０　タイル工用モップ装置
１１　バケツ
１２　把手
１３　ロッド
１４　簀の子
１５　軸
１６　ストッパ
１７　スポンジ
１８　保持板
１９　柄
２０　スポンジモップ
【図１】
2004000359.tif 000003
【図２】
2004000359.tif 000004
【図３】
2004000359.tif 000005
(57)【要約】【課題】強風の煽りなどの風圧危険を回避する。傘下における湿度ムレや陽光の照り返しの温度上昇を減少させる。そのために、風穴を構造的にあけた傘を提供する。【解決手段】傘に、風を逃がす穴を設ける。従来の傘の構造を次のように一新する。傘本体に『風の通り道』を内蔵した、吹き抜け構造に変える。本発明による新構造体は、「風を吹き出す通風機能」と「骨組み結合機能」を一体化し、『風穴』として創造した。このように、傘に風穴をあけたことを特徴とする。【選択図】図１
2004000431.tif 000002
【特許請求の範囲】
【請求項１】
傘に、風を逃がす穴を設けた、風穴をあけた傘。
【発明の詳細な説明】
【０００１】
【発明の属する技術分野】
この発明は、傘に風を逃がす穴を設けることによって、風の煽りから生じる風圧危険、同時に傘下における不快な湿度ムレや、陽光の照り返しによる温度の上昇を減少させる機能を持った、風穴をあけた傘に関するものである。
【０００２】
【従来の技術】
従来、傘は雨、陽射しを防ぐのみである。
傘下では湿度による不快なムレや、陽光の道路からの照り返しによる温度上昇（傘の内側）のため不快感が避けられない。
強い雨風やビル風による煽りの危険を、抜本的に解決する対策は、これまで出ていない。あわせて、上述の不快感を解消する対策もまだ無い。
【０００３】
【発明が解決しようとする課題】
これは、次のような欠点があった。
（イ）強い雨風やビル風の風圧で、傘は猪口状にひっくり返る。
（ロ）風の煽りを受けた傘を支える事は容易ではない。傘を支えるには大変な力が必要である。支える事に精一杯となり、建物・車両・歩行者・路上の障害物等、周囲への注意が散漫となる。特に子供、お年寄りにとっては、傘を差しての歩行は危険である。
（ハ）雨傘下では湿度ムレが、日傘下では陽光の照り返しによって、温度上昇とムレによる不快感が余儀なくされる。
（ニ）ゴルフ用傘やビーチパラソルなどのレジャー用傘は図体が大きい。
そのため受ける風の量も多く、風圧も強く受ける。その上、重量が大きいので傘を支える事は大変な力が必要である。したがって、前記（イ）（ロ）に基づく対策が強くもとめられる。
本発明は、以上のような欠点を除去するためになされたものである。
【０００４】
【課題を解決するための手段】
傘の頂上に、風を吹き出させる『風穴』を設ける。傘の通風機能となる。
本発明の新構造体は「風を吹き出す通風機能」と「傘の骨組み結合機能」を一体化し、傘の『風穴』として創造した。
本発明により、傘は、「吹き抜け構造」となる。傘内に入り込む風は、新構造体に設けた『風の通り道』を抜けて傘外へ一気に吹き出る。
よって、本発明が解決しようとする課題が解消する。
本発明は、以上の構成よりなる風穴をあけた傘である。
【０００５】
【発明の実施の形態】
以下、本発明の実施の形態について説明する。
本発明によって、従来の上ろくろ（１）を廃止する。新構造体は「風を吹き出す通風機能」と「傘の骨組み結合機能」を一体化仕様したものである。したがって新構造体を用いることで「吹き抜け構造傘」という全く新規の傘の構造となる。
新構造体は『風の通り道』の形態によって、次の三つに分類される。
2004000431.tif 000003
［構造体の風穴］
一定の高さのある、筒状の空間を持った構造に『風の通り道』を次のように設ける。筒状空間の上面に天地を貫通する縦穴をあけて、風を上方向へ逃がす。また側面に、外側と内側を貫通する左右方向の横穴をあける。傘内より吹き上がった風は横穴からも流れ出る。
「中棒の風穴」
新構造体を貫通する中棒（２）の一部に風穴をあける。中棒（２）の風穴は風圧が集中する傘内の頂上辺りにあける。そして傘の外に伸ばした中棒（２）の側面にも、一定の形と数の穴をあける。中棒（２）の風穴から入り込んだ風は中棒空洞を吹き上がり、筒状空間の側面に設けられた横穴から流れ出る。そしてまた、中棒（２）上方にある風穴からも外へ抜け出る。
［構造体の風穴と中棒の風穴との関連］
１中棒（２）の風穴は風抜け機能として、構造体の風穴と通気する。
２構造体の筒状空間内側面にある風穴と中棒（２）の風穴は重なるようにあける。構造体風穴と中棒（２）の風穴は一体通気する。
３一体化通気の『風の通り道』により、吹き抜け力は一段と高まる。
本発明である新構造体（Ｉ）（ＩＩ）（ＩＩＩ）の３分類を説明した。
『風穴』として創造した新構造体は３分類であるが、本質的な構造は一つである。従来からの上ろくろ（１）を廃止して、新構造体によって傘に風穴をあける。そして傘内の風を吹き抜けさせるものである。
また、風抜け効果を更に高める方法として、本発明である
「吹き抜け構造傘」の雨を受ける面（３）に風を抜かす穴を補助的にあける。
具体的には傘を使用する人の対象に合わせ、穴の位置、穴の形（丸・三角・四角・星型・スリット・ロゴ等）、穴の数、穴の大きさ等、デザインを兼ねて都度選定する。
本発明である、風穴をあける傘の種類は問わない。
具体的には雨傘・日傘などの用途、児童用・大人用による対象者の差異、スポーツ用・レジャー用の大傘、傘型テント等も問わない。
本発明は、以上のような構造でこれを使用するときは、風圧の煽り・傘下におけるムレ・陽光温度を減少させ、安全且つ実用的な傘として使用できる。
【０００６】
【発明の効果】
（イ）風圧の煽りが革命的に減少する。傘が安定し歩行が安全である。
結果、危険が避けられる。
（ロ）風が抜ける為、雨傘下の環境はムレが大幅に改善される。そして日除け用としての日傘の場合は熱風が抜けて涼しく快適となる。
（ハ）風圧の煽りによる傘の損傷が避けられる。
（ニ）風圧の煽りによって生じる、傘の他者への加害が回避できる。
【図面の簡単な説明】
【図１】新構造体（ＩＩ）使用傘に於ける、傘内の風の流れを示す縦断面図である。
【図２】新構造体（Ｉ）の平面図である。
【図３】新構造体（Ｉ）の正面図である。
【図４】新構造体（Ｉ）の縦断面図である。
【図５】新構造体（ＩＩ）の平面図である。
【図６】新構造体（ＩＩ）の正面図である。
【図７】新構造体（ＩＩ）の縦断面図である。
【図８】新構造体（ＩＩＩ）の正面図である。
【図９】新構造体（ＩＩＩ）の縦断面図である。
【図１０】新構造体（ＩＩＩ）の平面図である。
【図１１】中棒に風穴を施した図である。
【図１２】新構造体（ＩＩＩ）使用傘に於ける、傘内の風の流れを示す縦断面図である。
【図１３】従来の傘に於ける、各部位の名称
【符号の説明】
１上ろくろ
２中棒
３雨を受ける面
【図１】
2004000431.tif 000004
【図２】
2004000431.tif 000005
【図３】
2004000431.tif 000006
【図４】
2004000431.tif 000007
【図５】
2004000431.tif 000008
【図６】
2004000431.tif 000009
【図７】
2004000431.tif 000010
【図８】
2004000431.tif 000011
【図９】
2004000431.tif 000012
【図１０】
2004000431.tif 000013
【図１１】
2004000431.tif 000014
【図１２】
2004000431.tif 000015
【図１３】
2004000431.tif 000016
(57)【要約】【課題】マイナスイオンを発生する練り製品を提供する。【解決手段】練り製品１００重量部に対し０．０１〜１０重量部のマイナスイオン発生物質を混練したことを特徴とするマイナスイオン発生練り製品。【選択図】　　　なし【特許請求の範囲】
【請求項１】
練り製品１００重量部に対し０．０１〜１０重量部のマイナスイオン発生物質を混練したことを特徴とするマイナスイオン発生練り製品。
【請求項２】
練り製品が、芳香剤、石鹸、化粧品及びワックスから選ばれたものである請求項１記載の練り製品。
【発明の詳細な説明】
【０００１】
【発明の属する技術分野】
本発明は、マイナスイオンを発生する練り製品に関する。
【０００２】
【従来の技術】
近年、人間の体内中のマイナスイオンが健康に及ぼす影響が話題になっている。マイナスイオンは、食量、飲料から、または呼吸によってあるいは皮膚から吸収され人体の細胞に作用するが、プラスイオンとのバランスが崩れると悪影響を及ぼすと言われている。人間が生活する空間にもマイナスイオンは存在するが、その濃度は環境によってかなり異なる。植物や水飛沫に恵まれた環境の雰囲気のマイナスイオン濃度は、都会や、工場あるいは車の中のマイナスイオン濃度に比べかなり多いというデータが得られている。都会では、居住空間の空調による外気の汚れ、工場、自動車等の排ガス、電子機器から発生する電磁波等によるの影響を受け、マイナスイオンが減少し、人体への影響が危惧されている。マイナスイオンを発生するものとしては、自然の植物、ある種の水、水飛沫、トルマリンなどの鉱物天然放射性希有元素鉱物等が知られており（特許文献１，２参照）、工業的に使用できるものとしてミネラル鉱石、人工機能セラミックス（商品名「ＮＮパウダー」）が市販されている。
【０００３】
【特許文献１】
特公昭６２−３２９４８号公報
【０００４】
【特許文献２】
特公平８−８９３４号公報
【０００５】
【発明が解決しようとする課題】
マイナスイオンは食料や飲料から摂取することは可能であるが、生活する空間に多く存在するのが理想的である。自然に恵まれた環境で生活する場合はともかく、都市部で生活する場合、道路、工場等の空気の汚れがマイナスイオンの減少を促進させ、その空間の一部を屋内に取り込んでおり、生活空間そのもののマイナスイオンが不足している。また、建材のうち、コンクリート、モルタル、防音剤、合板の接着剤等はマイナスイオンを減少させるというデータもあり、屋内も決して良い環境とは言えないのが現状である。
【０００６】
本発明は、このような現状に鑑み、置く、肌に付ける、使用する、塗布することにより、そこに存在させるだけでマイナスイオンを発生する練り製品を開発することにより、それらから発生するマイナスイオンにより空気中のマイナスイオンを増加させようとするものである。
【０００７】
したがって本発明は、マイナスイオンを発生す練り製品を提供することを目的とする。
【０００８】
【課題を解決するための手段】
即ち本発明は、練り製品１００重量部に対し０．０１〜１０重量部のマイナスイオン発生物質を混練したことを特徴とするマイナスイオン発生練り製品であり、また、その練り製品が、芳香剤、石鹸、化粧品及びワックスから選ばれた練り製品である。
【０００９】
【発明の実施の形態】
以下に本発明を具体的に説明する。
【００１０】
本発明におけるマイナスイオンとは負に電荷を帯びた基であるが、中でも人体に関係のあるＣｌ−、ＯＨ−、ＣＯ３２−、ＨＣＯ３−、Ｂｒ−、Ｉ−等であり、これらはＮａ＋、Ｋ＋、Ｃａ２＋、Ｍｇ２＋等のプラスイオンと細胞膜を通してイオン交換されるものである。マイナスイオン発生物質とは、マイナスイオンを発生させるものであれば特に限定されないが、ウラン系列、トリウム系列及びその変換によって生ずるラドン、トロンなどを含む放射性希有元素鉱物、特殊な合成セラミックスである人工機能セラミックス（商品名「ＮＮパウダー」）あるいは高温下で効果のあるトルマリン等の電気を帯びた鉱石を粉末状にしたもの等が好ましく、マイナスイオン発生粉末として市販されているものを使用できる。
【００１１】
本発明における練り製品とは、材料を混錬あるいは、溶液を濃縮して製造するものであれば特に限定されるものではないが、例えば、芳香剤、石鹸、化粧品、ワックス等がその代表的なものであり、化粧品としては、溶液、分散液、乳液、クリーム状、固形などがある。また、ワックスも固形、液状、半液状のものがあり、それらのいずれにも適用可能であり、用途も床用、車用あるいは木の柱の艶出しなどに用いられる木材用などがあるが、いずれにも適用できる。
【００１２】
練り製品中のマイナスイオン発生物質の混入量は、練り製品１００重量部に対し０．１〜１０重量部、好ましくは１〜５重量部であり、あまり少ないとマイナスイオンの発生が乏しく、多すぎると製品の本来の品質を損なう可能性がある。マイナスイオン発生物質の混入方法は、混錬の際、マイナスイオン発生物質の粉末を混入させる方法を採用することができる。
【００１３】
【実施例】
実施例１
芳香剤製造時にマイナスイオンを発生する放射性希有元素鉱物（粉末状）を３．０重量％混練し、その他は従来の方法で芳香剤を製造した。
【００１４】
この芳香剤を３個、密閉した約５ｍ２のモデルルーム内に置いて２４時間放置し、置く前と２４時間後のマイナスイオン濃度を測定した。マイナスイオン濃度の測定は、簡易型マイナスイオン測定器”ＩＯＮ　ＴＥＳＴＥＲ”（エコホリスティック社製）を使用した。
【００１５】
その結果、芳香剤を置く前のモデルルーム内のマイナスイオン濃度に比べ、芳香剤を置いて２４時間後の室内のマイナスイオン濃度は１８倍に増加していた。
【００１６】
実施例２
床板用ワックス製造時にマイナスイオンを発生する放射性希有元素鉱物（粉末状）を５．０重量％混練し、その他は従来の方法で床板用ワックスを製造した。
【００１７】
このワックスをモデルルームの床（約２５ｍ３）に塗布後２４時間放置し、塗布前と２４時間後のマイナスイオン濃度を測定した。マイナスイオン濃度の測定は、簡易型マイナスイオン測定器”ＩＯＮ　ＴＥＳＴＥＲ”（エコホリスティック社製）を使用した。
【００１８】
その結果、ワックスを塗布する前のモデルルーム内のマイナスイオン濃度に比べ、ワックス塗布２４時間後の室内のマイナスイオン濃度は１２倍に増加していた。
【００１９】
【発明の効果】
本発明のマイナスイオン発生練り製品は置く、塗布する、使用するなど、そこに存在させるだけでマイナスイオンを発生し続ける。したがって、これらの製品を用いることによって、周囲にマイナスイオンを発生させ、生活空間のマイナスイオンを増加させる。
(57)【要約】【目的】この発明は手に持たなくても傘をさせる傘ホルダーに関するものである。【構成】肩あて（１）と傘うけ（３）を固定ベルト（４）及び（５）で固定させ、とめ金（２）と傘うけ（３）に傘をはめる。【選択図】　図１
2004000458.tif 000002
【特許請求の範囲】
【請求項１】
手に持たなくても傘をさせる傘ホルダー。
【発明の詳細な説明】
この発明は傘を手に持たずにさすためのホルダーである。
雨の日にも外を出歩かなければならない営業マンや買い物に出かけなければならない主婦の人達は傘をさして鞄や荷物を持つと、両手がふさがって何かと不便を来した。又、自転車に乗って傘をさすと片手運転になって危険であった。
本発明はそれを解決するための道具である。これを図面について説明すれば、肩あて（１）をベルト（４）で固定させとめ金（２）と、ひもで吊り下げた傘うけ（３）に傘をはめ固定ベルト（５）でズボンのベルト等にとめて固定させる。このようにすれば手に持たなくても傘をさす事が出来る。傘うけを肩あてと連結させてもよいが、ひもで吊り下げると肩あてにかかる力の負荷が小さくてすむし、又胴体に固定させるとひもで吊り下げなくてもよい。又とめ金（２）や傘うけ（３）は傘を簡単に取りはずせればどんな形でもかまわないし、固定ベルトはマジックテープ式などにしても良い。固定ひも（６）をつければより安定するし、フックを付ければ荷物をかける事も出来る。
【図面の簡単な説明】
【図１】本発明の斜視図
【図２】本発明の使用中の斜視図
【符号の説明】１は肩あて　２はとめ金
３は傘うけ　４・５は固定ベルト　６は固定ひも
７は吊りひも　８はストッパー　９は傘
【図１】
2004000458.tif 000003
【図２】
2004000458.tif 000004
(57)【要約】【課題】本発明の課題は、従来では得られなかった食感を有する魚肉加工品および食肉加工品を提供することである。【解決手段】（１）魚肉、食肉或いは魚肉と食肉との混合物をエクストルーダーで組織化させる工程（２）得られた組織化肉を適当な大きさにカットする工程（３）（２）で得られたカット組織化肉をつなぎに混合した後、加熱する工程を含む魚肉加工品および食肉加工品を製造する方法。【選択図】　図２
2004000095.tif 000002
【特許請求の範囲】
【請求項１】
（１）魚肉、食肉或いは魚肉と食肉との混合物をエクストルーダーで組織化させる工程
（２）得られた組織化肉を適当な大きさにカットする工程
（３）（２）で得られたカット組織化肉をつなぎに混合した後、加熱する工程
を含む魚肉加工品および食肉加工品を製造する方法。
【請求項２】
組織化された魚肉、食肉或いは魚肉と食肉との混合物が、一軸又はニ軸エクストルーダーを用いて製造される、請求項１に記載の方法。
【請求項３】
カット組織化肉をつなぎに混合した後、ケーシングに充填し、或いは充填しないで加熱する工程を含む、魚肉加工品又は食肉加工品を製造する、請求項１に記載の方法。
【請求項４】
組織化肉が層状の断面を有し、魚肉、食肉或いは魚肉と食肉との混合物である請求項１に記載の方法。
【請求項５】
請求項１〜４のいずれか１つに記載の方法により製造された魚肉加工品および食肉加工品。
【発明の詳細な説明】
【０００１】
【発明の属する技術分野】
本発明は、製品中の肉塊に特徴を有する魚肉加工品および食肉加工品、並びに、それらの製造方法に関する。
【０００２】
【従来の技術】
消費者の生活仕様や食生活の多様化に伴う食品に対する嗜好の変化に答えて、近年、エクストルーダーを利用した技術が開発され、魚肉すり身を組織化したものが製品化されている。
【０００３】
例えば、特開平２‐３０３４６２公報では、魚肉すり身をエクストルーダー処理し、繊維状に組織化した製品が提案されている。
【０００４】
しかしながら、このように製造された製品は消費者の嗜好の変化にある程度適合したが、消費者の嗜好を満たすことはできなかった。
【０００５】
【発明が解決しようとする課題】
従って、本発明は、従来では得られなかった食感を有する魚肉加工品および食肉加工品を提供することを主な課題とする。
【０００６】
【課題を解決するための手段】
そこで、本発明は、エクストルーダーで組織化させた魚肉、食肉或いは魚肉と食肉との混合物をそのまま製品にするのではなく、肉塊又は肉片として、つなぎと混合することにより、従来では得られなかった食感が得られることを見出した。
【０００７】
本発明は、以下の項１〜５の魚肉加工品および食肉加工品並びにそれらの製造方法に関する。
項１．　（１）魚肉、食肉或いは魚肉と食肉との混合物をエクストルーダーで組織化させる工程
（２）得られた組織化肉を適当な大きさにカットする工程
（３）（２）で得られたカット組織化肉をつなぎに混合した後、加熱する工程
を含む魚肉加工品および食肉加工品を製造する方法。
項２．　組織化された魚肉、食肉或いは魚肉と食肉との混合物が、一軸又はニ軸エクストルーダーを用いて製造される、項１に記載の方法。
項３．　カット組織化肉をつなぎに混合した後、ケーシングに充填して、或いは充填しないで加熱する工程を含む、魚肉加工品又は食肉加工品を製造する、項１に記載の方法。
項４．　組織化肉が層状の断面を有し、魚肉、食肉或いは魚肉と食肉との混合物である項１に記載の方法。
項５．　項１〜４のいずれか１つに記載の方法により製造された魚肉加工品および食肉加工品。
【０００８】
【発明の実施の形態】
本発明は、魚肉加工品および食肉加工品並びにそれらの製造方法に関する。
【０００９】
本発明による方法は、
（１）魚肉、食肉或いは魚肉と食肉との混合物をエクストルーダーで組織化させる工程
（２）得られた組織化肉を適当な大きさにカットする工程
（３）（２）で得られたカット組織化肉をつなぎに混合した後、加熱する工程
を含む。
【００１０】
本発明における食肉としてブタ、ウシ、ウマ、鶏などが挙げられる。
【００１１】
本発明における魚肉として、スケソウダラ、ミナミダラ、イトヨリ、エソ、キンメダイ、ホキ、ヘイク、サケなどが挙げられる。
【００１２】
上記（３）における加熱の例として、製品の中心部が６３℃３０分以上或いは加圧加熱殺菌（１２０℃４分間）などがある。
【００１３】
本発明のひとつの実施態様として、エクストルーダーで組織化させた肉塊の垂直断面は、例えば層状（年輪状）となるため（図１参照）、魚肉又は食肉の肉塊様と似ている。また、組織化肉を様々な向きでカットすることにより、組織化肉が丸く出現したり、四角く出現したりするので、混合された魚肉加工品および食肉加工品に自然なイメージを与えることができる。このように製造される組織化肉の食感は、“ほぐれ感”があり、魚肉或いは食肉の肉塊と類似している。
【００１４】
本発明で用いられるエクストルーダーは、従来用いられているものであり、一軸又はニ軸エクストルーダーがより好ましい。エクストルーダーの冷却ダイの種類により、組織化肉の形状を所望の形状にすることができる。
【００１５】
本発明による魚肉、食肉或いは魚肉と食肉との混合物のつなぎとして、魚肉、魚肉すり身又は食肉に、澱粉、卵白、調味料などを加えて練り合わせたもの等が挙げられる。
【００１６】
本発明においてエクストルーダーで組織化させた組織化肉は、加工品全体に対して、５〜７０％、より好ましくは１５〜３０％を占める。また、組織化肉の形状は、ブロック状、繊維状、円柱状、シート状などが挙げられる。
【００１７】
本発明における魚肉加工品として、魚肉ハムなどが挙げられる。また、本発明における食肉加工品として、混合ハムなどが挙げられる。
【００１８】
【実施例】
実施例１
たらの魚肉すり身をニ軸エクストルーダーで図１のように組織化させ、適度な大きさにカットする。
【００１９】
魚肉すり身を主原料とし、澱粉、卵白、調味料などを加え、練り合わせたつなぎをカットした組織化肉に加え混合し、気密性のあるケーシングに充填した。その中心部の温度が１２０℃である状態で、４分間加熱した。
【００２０】
このように得られた魚肉ハムの断面図を図２に示す。
【００２１】
このように得られた魚肉ハムは、組織化させた組織化肉の食感とつなぎの食感に差があり、食感に特徴を有した。
【００２２】
【発明の効果】
本発明により、従来では得られなかった食感を有する魚肉加工品および食肉加工品を提供することができる。
【図面の簡単な説明】
【図１】図１は、実施例１において、ニ軸エクストルーダーで組織化された組織化肉およびその断面図を示す。
【図２】図２は、実施例１で得られた魚肉ハムの断面図を示す。
【図１】
2004000095.tif 000003
【図２】
2004000095.tif 000004
(57)【要約】【課題】従来の刈払機は主管が長いためその輸送，運搬等が困難であった。【解決手段】本発明においては、主管及び上記主管内を通る駆動軸を２部分に分離し、連結手段によって上記互いに分離された主管及び駆動軸の夫々の部分を夫々互いに同軸状に連結する。上記一方の主管部分を上記他方の主管部分から離れる方向にガイドすると共に、上記一方の主管部分を上記他方の主管部分に相対的に折り曲げ可能とする。上記ガイドし、折り曲げ可能とする手段は、上記主管部分の連結手段から延びるガイド溝と、上記一方の主管部分から延び上記ガイド溝によってガイドされるガイドピンとより成る。【選択図】　図６
2004000076.tif 000002
【特許請求の範囲】
【請求項１】
一方及び他方の２部分に分離した主管及び同じく一方及び他方の２部分に分離した、上記主管内を通る駆動軸と、上記互いに分離された主管及び駆動軸の夫々の部分を夫々互いに同軸状に連結する連結手段と、上記一方の主管部分を上記他方の主管部分から離れる方向にガイドすると共に、上記一方の主管部分を上記他方の主管部分に相対的に折り曲げ可能とする手段とより成ることを特徴とする刈払機の主管。
【請求項２】
上記ガイドし、折り曲げ可能とする手段が、上記主管部分の連結手段から延びるガイド溝と、上記一方の主管部分から延び上記ガイド溝によってガイドされるガイドピンとより成ることを特徴とする請求項１記載の刈払機の主管。
【発明の詳細な説明】
【０００１】
【発明の属する技術分野】
本発明は刈払機の主管、特に、その長さを短縮できる刈払機の主管に関するものである。
【０００２】
【従来の技術】
図７は従来の主管を有する刈払機を示し、１は主管、２はこの主管１の基部に取り付けたエンジン、３は主管１の先端部に着脱自在に取り付けた刈刃、４はＬ字状に下方に折り曲げた先端部４ａを有し、基部４ｂを主管１の先端部に固定したカッターガード、５は肩掛けバンドである。
【０００３】
この種従来の刈払機における主管はその長さが２ｍ近くあり、このような長い主管を有する刈払機の運搬作業は極めて面倒である。そのため主管を２部分に分割できるようにすることが考えられている。
【０００４】
【発明が解決しようとする課題】
然しながら、主管を分割せしめた場合にはその分解、組立てに時間がかかると共に場合によっては部品を紛失したり置忘れる等の不都合があった。
【０００５】
本発明はこのような不都合を解消するためのものである。
【０００６】
【課題を解決するための手段】
本発明の刈払機の主管は、一方及び他方の２部分に分離した主管及び同じく一方及び他方の２部分に分離した、上記主管内を通る駆動軸と、上記互いに分離された主管及び駆動軸の夫々の部分を夫々互いに同軸状に連結する連結手段と、上記一方の主管部分を上記他方の主管部分から離れる方向にガイドすると共に、上記一方の主管部分を上記他方の主管部分に相対的に折り曲げ可能とする手段とより成ることを特徴とする。
【０００７】
上記ガイドし、折り曲げ可能とする手段は、上記主管部分の連結手段から延びるガイド溝と、上記一方の主管部分から延び上記ガイド溝によってガイドされるガイドピンとより成ることを特徴とする。
【０００８】
【発明の実施の形態】
以下図面によって本発明の実施例を説明する。
【０００９】
本発明においては図１に示すように例えば直径２．５ｃｍの主管１及びこの主管１内を通る可撓性駆動軸６を略その中間において２部分に分離せしめ、図２及び図３に示すように互いに分割された主管１の一方１ａの分離端部と他方１ｂの分離端部を互いに同一軸状に連結するための、上記主管１の外径に対応する内径を有する長さ例えば１０ｃｍの筒状カップリング７を用い、その中間部内周面に仕切り８を形成し、この筒状カップリング７の両端開口に夫々上記分割された主管１の一方１ａ及び他方１ｂの分離端部を嵌入し、これらをねじ９，１０により互いに一体に結合せしめる。
【００１０】
また、上記筒状カップリング７の下部両側から軸方向外方に、図２，図３では主管１の他方１ｂの方向に延びる長さ例えば１０ｃｍのガイド板１１を設け、このガイド板１１に上記筒状カップリング７の軸方向に延びる、例えば長さ５ｃｍの長溝１２を形成し、この長溝１２の先端１２ａを下方に弧状に湾曲せしめて上記筒状カップリング７の軸心から略上記主管１の直径に相当する距離だけ下った地点に達するようにする。
【００１１】
また、図４及び図５に示すように上記主管１の他方１ｂの分離端部分の両側には下方に延びる袖片１３を設け、この袖片１３に形成した孔１４を通して上記長溝１２にガイドピン１５を挿通する。
【００１２】
また、互いに分割された駆動軸６の一方６ａの分離端には断面角状の雄部１６を形成し、他方６ｂの分離端には上記雄部１６を嵌入せしめる角状雌部１７を形成し、互いに嵌合自在ならしめる。
【００１３】
本発明の刈払機の主管は上記のような構成であるから主管１を折り曲げる場合にはねじ１０を緩め、主管１の他方１ｂを筒状カップリング７から引き出す。このとき主管１の他方１ｂの袖片１３の孔１４及びガイド板１１の長溝１２に挿通したガイドピン１５は長溝１２に沿って移動し、長溝１２の先端１２ａに達する。また、駆動軸６の一方６ａ及び他方６ｂも互いに分離する。
【００１４】
このとき、主管１の他方１ｂの分離端が筒状カップリング７より完全に抜け出るから上記ガイドピン１５を中心として主管１の他方１ｂを１８０°折り曲げれば図６に示すように主管１の一方１ａ及び他方１ｂが互いに重なる状態となり、刈払機の長さが略半減されるようになる。
【００１５】
この状態で必要に応じてバンド１８で主管１の一方１ａと他方１ｂを結合せしめればその後の運搬等を極めて容易となる。
【００１６】
上記主管１の一方１ａ及び他方１ｂを互いに同軸状に結合し組立てる為には上記の操作を逆に行なえば良い。
【００１７】
【発明の効果】
上記のように本発明の刈払機の主管によれば極めて容易にこれを折り畳み、且つ復元できるようになる大きな利益がある。
【図面の簡単な説明】
【図１】本発明の主管を用いた刈払機の分割状態説明図である。
【図２】本発明の主管の結合状態を示す一部の断面図である。
【図３】図２に示す部分の斜視図である。
【図４】本発明の主管の一部の詳細図である。
【図５】図４に示す部分の斜視図である。
【図６】本発明の主管の折り曲げ状態説明図である。
【図７】従来の主管を用いた刈払機の斜視図である。
【符号の説明】
１　　主管
１ａ　一方
１ｂ　他方
２　　エンジン
３　　刈刃
４　　カッターガード
４ａ　先端部
４ｂ　基部
５　　肩掛けバンド
６　　駆動軸
６ａ　一方
６ｂ　他方
７　　筒状カップリング
８　　仕切り
９　　ねじ
１０　　ねじ
１１　　ガイド板
１２　　長溝
１２ａ　先端
１３　　袖片
１４　　孔
１５　　ガイドピン
１６　　雄部
１７　　雌部
１８　　バンド
【図１】
2004000076.tif 000003
【図２】
2004000076.tif 000004
【図３】
2004000076.tif 000005
【図４】
2004000076.tif 000006
【図５】
2004000076.tif 000007
【図６】
2004000076.tif 000008
【図７】
2004000076.tif 000009
(57)【要約】　　　（修正有）【課題】自分の口臭の有無を、人にわからずに、しかも簡単に確認をすることができるエチケットマスクを提供する。【解決手段】エチケットマスクは、半カップ状のものを用い、カップ下に口をくわえるための吹き込み口１を設ける。深く息を吸い込んだ後、吹き込み口１をくわえて、思い切り息を吹き込み、息吹き込み板３を通って流れでてきた息を、マスク内で充満したその臭いを嗅ぐ仕組みである。【選択図】　　図１
2004000650.tif 000002
【特許請求の範囲】
【請求項１】
人と話しをする前に、またデートする前に、マスクに息を吹き込み、鼻で嗅ぎ、自分の息を確認することを特徴とするエチケットマスク。
【請求項２】
エチケットマスク内に息を吹き込む口１を設け、口にくわえる前に、深く息を吸い込んだ後、息を吹き込み、息吹き込み板内３を通って流れてきたその息の臭いを鼻で嗅ぎ、自分の息を確認する。
【発明の詳細な説明】
【０００１】
【発明に属する技術分野】
本発明は、エチケットマスクをカバン、またポケットに入れて置き、人と出会う前に、デートする前に、自分の口の匂いを確認する。無臭であれば、自身を持って、相手と話しをすることが出来るが、もし、口の臭いがするようであれば、口臭対策として、ガム、口臭予防用のスプレーなどで、口臭対策をするなど、相手に対して不愉快な思いをさせないことが出来るものである。
【０００２】
【従来の技術】
自分の口臭を確認するために、両手の手のひらを広げて、口元にあて、息を吹いて確認するか、また口元を鼻先に向けて、息を吹き確認をするかの、いずれの方法も、自分の口臭の臭いを確実に確認することが出来ない。手のひらについている化粧水などで匂いが消され、また自分で鼻先に向けて息を吹き込んでも、空気によって拡散されるため、確認をすることが出来ない。殆ど、口臭の有無は、身近な家族、人の指摘によるものである。
【０００３】
【発明が解決しようとする課題】
（１）　食べ物による、例えば、ニンニク臭などによる悪臭。
（２）　虫歯、歯槽膿漏、口内炎などによる悪臭。
（３）　内臓による原因からの悪臭。
（４）　口中の不潔からの悪臭。
などが考えられる。本発明は、以上の問題を解決するため、簡単に自分の口の臭いがわかることが出来、臭いがするようであれば、一時的にガムを噛むなどして口臭を防ぐなどの対応をとることが出来るものである。又、何らかの原因で口臭が続くようであれば、歯槽膿漏、口内炎、内臓による等の原因が考えられ、医者に行くなどの措置をとることが出来るとともに、自分の体調のバロメーターともなり得る。口臭を発見する携帯用の測定グッズなどが開発されているが、匂いにも、さわやかな匂い、悪臭を放つ臭いなどがあり、相手が自分の匂いをどのように判断するかであり、今現時点、自分の匂いがどのようなものであるかを知る上で、しかもコンパクトで、簡単な方法で使用できるものである。
【０００４】
【課題を解決するための手段】
以上の課題を解決するために、本発明に係るエチケットマスクの吹き込み口１に、口からの息を吹き込み、それを確実に鼻で臭いを嗅ぐといったごく簡単なものである。鼻の粘膜は、口とつながっていて、絶えず口のにおいの刺激を受けているため、同じにおいに慣れて、やがて感じなくなる。嗅覚にはこうした感覚の慣れを生じる性質があり、自分の口臭と長年付き合っていると、なかなか自分では気づきにくくなる。例えば、半円形のカップ内にそのまま息を吹き、同時にその息を嗅ぐことも考えられるが、マスク全体に息が広がり、息の臭いが拡散、又、いままでの自分の臭いの慣れから、確実に息の臭いを容易に確認することが出来にくいのが現状である。
【０００５】
【発明の実施の形態】
息を吹き込み、その息を鼻で吸うというごく単純なもので、息の吹き込み口１を設け、口からの息を吹き込むことによって、隙間を通じて、息が流れ、噴出し口を狭くすることによって、その息の臭いを鼻でゆっくり嗅ぐことが出来、自分の口臭の有無を確認するという仕組みである。
【０００６】
以下、本発明の実施形態を図面に基づいて説明する。図１は本発明の一実施形態に係るエチケットマスクは、半カップ状のものを用い、カップ下に口をくわえるための吹き込み口１を設ける。図２は深く息を吸い込んだ後、吹き込み口１をくわえて、思い切り息を吹き込み、息吹き込み板３を通って流れでてきた息を、マスク内で充満したその臭いを嗅ぐ仕組みである。吹き込んだ息をゆっくりと出てくるように、噴出し口２を部分の隙間を狭くすることによって、ゆっくりと確実に臭いを嗅ぐ構造のものである。図３は内部の正面を示したもので、吹き込み口１と息を吸い込む部分を別にした構造である。
【０００７】
【発明の効果】
以上詳述したように、本発明に係るエチケットマスクは、コンパクト（デザイン等も考慮に入れる。）にすることによって、カバンやポケットなどに入れておけば、人にわからずに、人と出会う前に隠れて、自分の口臭の有無を確認することが出来るため、口臭対策がとれ、人と話しをしても気にせずに会話を楽しむことが出来る。なお、マスク本体自体は無臭性の製品のものを用いる。
【図面の簡単な説明】
【図１】本発明のエチケットマスクの側面図である。
【図２】前記の取り扱い状況図である。
【図３】前記の内部の正面図である。
【符号の説明】
１　　息吹き込み口
２　　息吹き出し口
３　　息吹き込み板
【図１】
2004000650.tif 000003
【図２】
2004000650.tif 000004
【図３】
2004000650.tif 000005
(57)【要約】　　　（修正有）【課題】回収ペットボトルの体積の減少をして移送効率を向上させると共に、リサイクルの作業工程の手間を少なくする方法の提供。【解決手段】ペットボトルを湾曲状板で挟んだ状態で車輪３をガイドにしてらせん状に回転させて切断刃２により切断する。これにより切断部片が互いに絡まりやすくなり、散乱せずに体積減少が可能になる【選択図】　図４
2004000639.tif 000002
【特許請求の範囲】
【請求項１】
回収ペットボトルをらせん状に切断して体積を減少する方法
【請求項２】
ペットボトル（１）を湾曲状板（２、３）にて挟み、ペットボトルを回転さすことによりらせん状に切断する切断器具（４）を取りつけたペットボトル切断器具
【請求項３】
請求項２の湾曲状板に車輪（５）を取りつけたペットボトル切断器具
【請求項４】
請求項２の湾曲状板の内側に凹凸の溝を設けた
ペットボトル切断器具
【発明の詳細な説明】
【０００１】
【発明の属する技術分野】
本発明は、ペットボトルを回収する場合の体積減少とリサイクルの作業効率向上のための切断方法および切断器具に関する
【０００２】
【従来の技術】
従来の回収ペットボトルは、容器の形を保持した状態、もしくは、圧力を加えて変形させた状態で回収されていた。
また、リサイクルの過程において、移送時に圧縮梱包されたペットボトルを再商品化事業者のもとで解俵（かいひょう）してバラバラにしていた。（例えば、ペットボトルリサイクル年次報告書２００２年度版）
【０００３】
【発明が解決しようとする課題】
従来の回収ペットボトルにあっては、ゴミ袋に入れる場合とか回収自動車の荷台に積む場合にかさばるため運搬効率に問題点があった。
また、リサイクルの過程において、圧縮して移送したものをバラバラにするために手間がかかるという問題点があった。
【０００４】
【課題を解決するための手段】
上記の問題点を解決するために、本発明は、ペットボトルをらせん状に切断することにより、たがいにからまりやすく、散乱せずに体積の減少ができるようにした。
また、リサイクルの作業工程のペットボトルの内容異物の選別、洗浄が簡単なため作業効率が向上する。
【０００５】
【発明の実施の形態】
本発明はペットボトルをゴミ回収に出すときにペットボトルをらせん状に切断することにより回収袋とか回収ケースに従来方法よりも多く入れることができる方法である。
【０００６】
上記切断起点は単独でも複数起点でも可能である
【０００７】
また、ペットボトルをリサイクルする過程において、移送時に圧縮、梱包されたペットボトルをバラバラにして、異物の選別後にこまかく切断されていた従来の工程に対して、本発明の方法は、圧縮、移送が簡単である。異物選別を、ふるいの利用、水の利用などにより手作業から機械化へ移行できる。そのため作業工程の効率向上ができる。
【０００８】
そして、らせん状に切断する道具としては、ペットボトルを湾曲状の板で挟み、板に取りつけた切断刃にてペットボトルを回転させながららせん状に切断する。
【０００９】
また、上記湾曲状板に車輪を設けることによりペットボトルの回転をなめらかにすることができる。
【００１０】
また、車輪のかわりに凹凸の溝を設けることによりペットボトルのらせん回転をうながすことができる。
【００１１】
【実施例】
実施例について図面を参照して説明すると、図１において、ペットボトルを湾曲状板（１）にて挟み、ペットボトルを回転させながら切断刃（２）にてらせん状に切断する。切断刃のペットボトルへの切り角度によりらせん状の切り幅が変化するわけである。
【００１２】
上記切断刃は一枚のほか複数の切断刃を取りつけても切断刃の角度が同じであれば同時に複数のらせん状切断ができる
【００１３】
図３に示される実施例では、ペットボトルの回転のなめらかさとらせん回転の確実性のために車輪（３）を挟み板に取りつける。ペットボトルと車輪は、ボルトとナットの関係の状態にてペットボトルがらせん回転をする。回転するペットボトルを切断刃（２）にて切断する
【００１４】
図３に示されている車輪は八個であるがペットボトルの回転に支障がなければ数は問わない。
【００１５】
図４に示されている可動取りつけ軸（４）は車輪とペットボトルの接触をより確実にするためと、円柱形以外の角柱形の対応のためである。
【００１６】
図５、６、７に示されている湾曲状板の凹凸もボルトナットのナットの関係の状態にてペットボトルがらせん回転をする。
【００１７】
【発明の効果】
本発明は、以上説明したような形態で実施され、以下に記載されるような効果を奏する。
【００１８】
ペットボトルをらせん状に切断することにより、ペットボトルどうしがからまり合って集合体積を小さくすることができる
【００１９】
リサイクル工程において、洗浄、異物選別を同時にできるため、工程短縮ができる
【００２０】
ペットボトルをらせん状に切断する場合、切断刃の胴部分をらせん回転の先導役として切断することができる
【００２１】
また、ペットボトルを挟む板に、車輪をボルトナットのナットの役目をするように配置することにより、ペットボトルのらせん回転をなめらかに回転さすことができる。
【００２２】
また、湾曲状板に凹凸の溝を設けることによりボルトナットのナットの役目をしてらせん回転をなめらかにし、なおかつ上記車輪方式よりも低コストにて作ることができる
【図面の簡単な説明】
【図１】らせん状切断器具の正面図である
【図２】図１のらせん状切断器具の平面図である
【図３】挟み板に車輪を設けたらせん状切断器具の平面図である
【図４】図３のらせん状切断器具の正面図である
【図５】図１、図２の湾曲状板に凹凸の溝を設けたはさみ板の平面図である
【図６】図５の湾曲状板の正面図である。
【図７】図５の湾曲状板の側面図である。
【符号の説明】
１　湾曲状板
２　切断刃
３　車輪
４　取り付け軸
【図１】
2004000639.tif 000003
【図２】
2004000639.tif 000004
【図３】
2004000639.tif 000005
【図４】
2004000639.tif 000006
【図５】
2004000639.tif 000007
【図６】
2004000639.tif 000008
【図７】
2004000639.tif 000009
(57)【要約】【課題】従来の半円筒型足踏み台の足裏中心部への集中的な足踏みのみならず、足裏全体の足踏み部も設け、交互に足踏みおする事により更なる効果お得る。足踏みは全体重お使い直接に突起部お踏むために、使用途中での不快な痛みお緩和し、使用途中で中断することなく、充分な効果が得られる様にする。足踏みによる更なる効果お得るために、入浴時において身体への温熱効果お利用するために、浴室内での使用お可能にし、更に足裏や足指など足全体お屈折すること無く立ったままで洗える様にする。【解決手段】従来の半円筒形足踏み台の左右に平坦突起部お設け凸形２にし、間接足踏みと足裏洗浄具お成すスポンジ等のクッション材４お重ねる。入浴時の浴室内使用のスベリ止めとして、スポンジ平板１０の内部へ両面吸盤８お組み込み本体２の床面へ吸着させて二重スベリ止め１０とする。更に足指間洗浄３お本体２へ取り付けて実施使用の形態１とする。又、スベリ止め１０お取り外し浴室外での使用の実施使用の形態１２とする。【選択図】　図１ID=005012 HE=028 WI=070 LX=0000 LY=0000>
2004000682.tif 000002
【特許請求の範囲】
【請求項１】
凸形にした足踏み台に、足裏洗浄具お兼ねるクッション材と足指間洗浄具お取り付け、スベリ止めお成すスポンジ板に両面吸盤お組み込み、二重スベリ止めとし、床面へ吸着した凸形クッション足踏み台。
【請求項２】
凸形にした足踏み台の平坦突起部に間接足踏みお成す、クッション材お重ねて平坦突起部において、間接足踏みが出来る凸形クッション足踏み台。
【請求項３】
スポンジ板に両面吸盤お組み込んだ、二重スベリ止め。
【発明の詳細な説明】
【０００１】
【発明の属する技術分野】
本発明は、入浴時において温熱効果お利用し、足裏マッサージの更なる効果お得られる様にする為に、半円筒形足踏み台の左右へ平坦突起部お設け凸形とし又、足踏み時において突起による痛みお和らげ、充分なマッサージが出来る様スポンジ等のクッション材お置き、間接足踏みマッサージが出来る様にした。足踏み台本体である平坦部の裏より、足指間洗浄具お差し入れる事により足お前後に動かしながら足裏と足指間お同時に洗える様にもしたものである。又、浴室内使用時においてのスベリ止めとしてスポンジ板の数箇所に両面吸盤お組み込み、本体へ吸着し片面においては切り込みお施し容易に取り外せる様にしてある。
【０００２】
【従来の技術】
全体重お使い足裏の中心お踏む従来の半円筒形足踏み台は突起部お直接踏む為に、使用途中において痛みお感じ、充分な効果お得る前にしばしばやめていた。又、入浴時の温熱効果お利用しての浴室で、足踏みしながら同時に足裏及び足指お洗える浴室用間接足踏み台は無かった。
スベリ止めにおいてはスポンジ板の内部に両面吸盤お組み込み片面に切り込みのある半固定型スベリ止めは無かった。
【０００３】
【発明が解決しようとする課題】
入浴時において、関節や腰の痛み等により身体の屈折や動作が充分で無いときは勿論のこと、シャワー使用中に立ったままで足裏や足指の洗浄や、入浴時における温熱効果お利用し、直接に足踏み台の突起お踏み充分な足踏み効果お得る前の痛みお感じる事なく、足裏洗浄具であるクッションお利用して間接的に足踏みマッサージおする事による、更なる効果が得られる様成された。
又、スベリ止めお取り外し浴室外での使用における、凸形クッション足踏み台としても使用出来る様成された。
【０００４】
【課題を解決するための手段】
形間接足踏み台の本体２の平面にスポンジ板４お重ねて、足踏みクッション及び足裏洗浄具４とした。又、本体２の床面へスポンジ板１０おしき、あらかじめ円形にくりぬいてある、両面吸盤の取り付け口９より吸盤８お本体２へ吸着し、入浴時において使用するときの本体２の吸盤お内蔵したスポンジスベリ止めとした。、又スベリ止めであるスポンジ板１０に同じく長方形７にくりぬいてある足指間洗浄具３の差し入れ口７より、本体２と足裏洗浄具４に施してある足指間洗浄具３の通し口６へ通して、足お前後に動かして使う足指間洗浄具３とした。以上の様に構成された凸形クッション足踏み台である。
【０００５】
【発明の実施の形態】
以下、発明の実施の形態について説明すれば
（イ）凸形クッション足踏み台の本体２へ足裏洗浄と足踏み時におけるクッションお担うスポンジ板４お重ねる。
（ロ）同じく、本体２の床面へスベリ止め１０お敷く。
（ハ）スベリ止め１０に施してある両面吸盤８の取り付け口９より両面吸盤８お本体２の床面へ取り付け、二重スベリ止めとする。
（ニ）スベリ止め１０に施してある足指間洗浄具３の取り付け口７より洗浄具３お差し入れ、本体２とクッション洗浄具４に施されている通し口６へとおす。
【０００６】
【発明の効果】
肩腰関節の痛みに代表される様な、身体において何らかの異常がある時など体の屈折おする事なく入浴時において、足裏と足指お洗う事ができる。又普通にシャワー使用中においても楽に足が洗え、とりわけ足からの臭いの一因でもある足指間の洗浄が楽にできる。入浴時においては温熱効果お利用して左右の平面部お交互に踏むことにより、足裏全体の指圧効果が得られ又、足裏の中心など集中しての指圧効果お求めるときは、部お踏む事によりできる。本発明の目的でもある、痛みお感じる事なくクッションお利用しての充分な足踏みはスベリ止めと、足指間洗浄具お本体より取り外し浴室外においても使用できる。
【図面の簡単な説明】
【図１】本発明の使用時における斜視図である。
【図２】本発明の平面図である。
【図３】本発明の床面図である。
【図４】本発明の組み立て図である。
【図５】本発明の本体の断面図である。
【図６】足指間洗浄具の斜視図である。
【図７】足指間洗浄具の平面図である。
【図８】両面吸盤の片面に切り込みをお入れた正面図である。
【図９】本発明のスベリ止めお取り外した使用時の、斜視図である。
【図１０】本発明のスベリ止めお除いた、組み立て図である。
【符号の説明】
１　実施使用時の本体
２　凸形足踏み台の本体
３　足指間洗浄具
４　足裏洗浄クッション
６　足指間洗浄具の通し口
７　足指間洗浄具の差し入れ口
８　両面吸盤
９　両面吸盤の取り付け口
１０　スベリどめ
１１　足踏み台本体凸部の通し口
【図１】
2004000682.tif 000003
【図２】
2004000682.tif 000004
【図３】
2004000682.tif 000005
【図４】
2004000682.tif 000006
【図５】
2004000682.tif 000007
【図６】
2004000682.tif 000008
【図７】
2004000682.tif 000009
【図８】
2004000682.tif 000010
【図９】
2004000682.tif 000011
【図１０】
2004000682.tif 000012